(57)【特許請求の範囲】
【請求項１】
アンテナと、
第１の通信方式と第２の通信方式とを切替えて、音声通話を行う通信制御部と、
無線基地局との通信が、前記第１の通信方式による音声通話であるのか、または前記第２の通信方式による音声通話であるのかを識別する識別部と、
前記無線基地局との通信が前記第１の通信方式による音声通話の場合には、ユーザが前記アンテナに触れないようにするための通知を行う通知部とを備え、
前記第１の通信方式は、パケット交換方式であり、前記第２の通信方式は、回線交換方式であり、
前記通知部は、ハンズフリー通話をオフに切り替えたときに、前記通知をする、携帯電話。
【請求項２】
アンテナと、
第１の通信方式と第２の通信方式とを切替えて、音声通話を行う通信制御部と、
無線基地局との通信が、前記第１の通信方式による音声通話であるのか、または前記第２の通信方式による音声通話であるのかを識別する識別部と、
物体の近接を検出する近接センサと、
前記無線基地局との通信が前記第１の通信方式による音声通話の場合には、ユーザが前記アンテナに触れないようにするための通知を行う通知部とを備え、
前記第１の通信方式は、パケット交換方式であり、前記第２の通信方式は、回線交換方式であり、
前記通知部は、音声通話中に、前記近接センサによって近接が検出されないときに、前記通知をする、携帯電話。
【請求項３】
前記通知部は、前記無線基地局との通信が前記第１の通信方式による音声通話の場合には、前記アンテナの位置を表示する、請求項１または２記載の携帯電話。
【請求項４】
前記通知部は、前記無線基地局との通信が前記第１の通信方式による音声通話の場合には、前記アンテナに触れないように警告する、請求項１または２記載の携帯電話。
【請求項５】
前記通知部は、着呼時に前記通知をする、請求項１または２記載の携帯電話。
【請求項６】
前記通知部は、発呼時に前記通知をする、請求項１または２記載の携帯電話。
【請求項７】
携帯電話であって、
アンテナと、
第１の通信方式と第２の通信方式とを切替えて、音声通話を行う通信制御部と、
無線基地局との通信が、前記第１の通信方式による音声通話であるのか、または前記第２の通信方式による音声通話であるのかを識別する識別部と、
前記音声通話で受信した信号の電界強度を求める電界強度特定部と、
前記アンテナの周辺に設けられたタッチセンサと、
通知部とを備え、
前記通知部は、前記無線基地局との通信が前記第１の通信方式による音声通話であり、前記タッチセンサが物体の接触を検出したときには、前記アンテナに触れないように警告し、
前記通知部は、前記無線基地局との通信が前記第１の通信方式による音声通話であり、前記電界強度が閾値以下であり、前記タッチセンサが物体の接触を検出しないときには、前記携帯電話の位置または方位を変更するように警告する、携帯電話。
【請求項８】
前記第１の通信方式は、ＶｏＬＴＥ方式である、請求項１〜７のいずれか１項に記載の携帯電話。
【発明の詳細な説明】
【技術分野】
【０００１】
本発明は、携帯電話に関し、特に２つの通信方式の中から選択した方の通信方式で通信することが可能な携帯電話に関する。
【背景技術】
【０００２】
従来から、データ通信の通信方式で音声通話を行なう無線基地局および携帯端末が知られている。
【０００３】
たとえば、特許文献１には、ＬＴＥ（Long Term Evolution））回線を用いて音声通話を行なうＶｏＬＴＥ（Voice Over Long Term Evolution）に準拠した無線基地局および携帯端末が記載されている。
【先行技術文献】
【特許文献】
【０００４】
【特許文献１】特開２０１４−７５７３４号公報
【発明の概要】
【発明が解決しようとする課題】
【０００５】
携帯電話が、データ通信の通信方式での音声通信と、回線交換方式での音声通信とを切り替えることを可能にした場合、一方の通話品質が、他方の通話品質よりも低くなる場合がある。
【０００６】
ユーザは、選択されている方式が通話品質が高い方式であるのか、通話品質が低い方式であるのかを意識することがない。通話品質が低い方式が選択された場合に、通話品質が高い方式が選択された場合と同様に、音声通話が正常に実行されることが望ましい。
【０００７】
それゆえに、本発明の目的は、通話品質が低い方の通信方式が選択された場合でも、通話品質が高い方式が選択された場合と同様に、音声通話を正常に実行することができる携帯電話を提供することである。
【課題を解決するための手段】
【０００８】
本発明の一態様の携帯電話は、アンテナと、第１の通信方式と第２の通信方式とを切替えて、音声通話を行う通信制御部と、無線基地局との通信が、第１の通信方式による音声通話であるのか、または第２の通信方式による音声通話であるのかを識別する識別部と、無線基地局との通信が第１の通信方式による音声通話の場合には、ユーザがアンテナに触れないようにするための通知を行う通知部とを備える。第１の通信方式は、パケット交換方式であり、第２の通信方式は、回線交換方式である。
【発明の効果】
【０００９】
本発明の一態様によれば、通話品質が悪い方の通信方式が選択されたときに、通話品質がさらに悪化するのを防止し、または通話品質を改善することができる。
【図面の簡単な説明】
【００１０】
【図１】第１の実施形態の携帯電話の構成を表わす図である。
【図２】携帯電話の外観を表わす正面図である。
【図３】携帯電話の外観を表わす背面図である。
【図４】第１の実施形態における音声通話の制御手順を表わすフローチャートである。
【図５】（ａ）および（ｂ）は、第１の実施形態における通知画面の例を表わす図である。
【図６】第１の実施形態の変形例１における音声通話の制御手順を表わすフローチャートである。
【図７】（ａ）および（ｂ）は、第１の実施形態の変形例１における通知画面の例を表わす図である。
【図８】第１の実施形態の変形例２における音声通話の制御手順を表わすフローチャートである。
【図９】（ａ）および（ｂ）は、第１の実施形態の変形例２における通知画面の例を表わす図である。
【図１０】第２の実施形態の携帯電話の構成を表わす図である。
【図１１】（ａ）〜（ｃ）は、携帯電話の筐体に内蔵される一部の部材の分解斜視図である。
【図１２】収納部に配置されるアンテナの位置を表わす図である。
【図１３】第２の実施形態における音声通話の制御手順を表わすフローチャートである。
【図１４】（ａ）および（ｂ）は、第２の実施形態における通知画面の例を表わす図である。
【図１５】第２の実施形態の変形例１における音声通話の制御手順を表わすフローチャートである。
【図１６】（ａ）および（ｂ）は、第２の実施形態の変形例１における通知画面の例を表わす図である。
【図１７】第２の実施形態の変形例２における音声通話の制御手順を表わすフローチャートである。
【図１８】（ａ）および（ｂ）は、第２の実施形態の変形例２における通知画面の例を表わす図である。
【発明を実施するための形態】
【００１１】
以下、本発明の実施の形態について図面を用いて説明する。
［第１の実施形態］
本実施の携帯電話は、３ＧＰＰ（Third Generation Partnership Project）方式での音声通信と、ＶｏＬＴＥ方式での音声通信とを切り替ることが可能である。このような場合、従来では以下のような問題があった。
【００１２】
ＶｏＬＴＥ方式の受信感度は、３ＧＰＰ方式の受信感度よりも低いため、ＶｏＬＴＥでの通話品質は、３ＧＰＰ方式での通話品質よりも低い。
【００１３】
ユーザは、選択されている方式が３ＧＰＰ方式であるのか、ＶｏＬＴＥ方式であるのかを意識することがない。ＶｏＬＴＥ方式が選択されたときでも、ユーザが３ＧＰＰ方式での音声通話時と同じように携帯電話を操作していると、問題が生じる場合がある。たとえば、ユーサの手がアンテナに触れた場合、３ＧＰＰ方式での音声通話では、通話品質に与える影響が少ないが、ＶｏＬＴＥ方式での音声通話では、通話品質が音声通話に支障が出るほどに悪化する場合がある。
【００１４】
本実施の形態は、音声通話において受信感度の低いＶｏＬＴＥ通信を利用する場合に、アンテナの位置を表示して、ユーザがアンテナに触れないようにすることによって、通話品質の劣化を回避する。
【００１５】
図１は、第１の実施形態の携帯電話１の構成を表わす図である。
図１に示すように、携帯電話１は、アンテナ２と、無線通信部３と、通信制御部４と、マイク５と、アプリケーション実行部６と、タッチパネル７と、通知部８と、液晶ディスプレイ９と、近接センサ１０と、ハンズフリー制御部１１と、スピーカ１２と、レシーバ１３と、識別部１６とを備える。通信制御部４は、ＣＤＭＡ（Code Division Multiple Access）通信制御部１４と、ＶｏＬＴＥ通信制御部１５と、選択部１８とを備える。
【００１６】
無線通信部３は、アンテナ２を通じて、無線基地局からＶｏＬＴＥ通信方式またはＣＤＭＡ方式の無線信号を受信し、無線基地局へＶｏＬＴＥ通信方式またはＣＤＭＡ方式の無線信号を送信する。
【００１７】
図１では、アンテナは１つのみを図示するが、携帯電話１は、複数個のアンテナを備える場合もある。無線通信部３は、ＣＤＭＡ方式による通信と、ＶｏＬＴＥ方式による通信とで、使用するアンテナを切り替えるものとしてもよい。また、無線通信部３は、ＣＤＭＡ方式での通信用と、ＶｏＬＴＥ方式での通信用の２つのモジュールに分離されているものであってもよい。
【００１８】
マイク５には、ユーザの音声などが入力される。
アプリケーション実行部６は、各種のアプリケーションを実行する。
【００１９】
タッチパネル７は、ユーザからの入力を受け付ける。
液晶ディスプレイ９は、ユーザへの問い合わせ画面、または通知画面などを表示する。
【００２０】
近接センサ１０は、音声通話中において、物体、特にユーザの耳が近接したことを検出する。
【００２１】
ハンズフリー制御部１１は、ユーザの設定指示などに基づいて、ハンズフリー通話のオン、オフを制御する。
【００２２】
スピーカ１２は、ハンズフリーがオン時には、受信した通話相手の音声などを出力する。スピーカ１２は、電話の着信音及び各種のアラーム音を出力する。レシーバ１３は、ハンズフリーがオフ時に、受信した通話相手の音声などを出力する。
【００２３】
通信制御部４は、音声通話を制御する。ＣＤＭＡ通信制御部１４は、携帯電話１が３ＧＰＰ方式の一種であるＣＭＤＡ方式のセル内に存在する場合に、ＣＤＭＡ方式の無線基地局との間でＣＤＭＡ方式で信号の送受信が可能である。ＣＤＭＡ方式での音声通話では、回線交換方式で通信が行われる。ＶｏＬＴＥ通信制御部１５は、携帯電話１がＶｏＬＴＥ方式のセル内に存在する場合に、ＶｏＬＴＥ方式の無線基地局との間でＶｏＬＴＥ方式で信号の送受信が可能である。ＶｏＬＴＥ方式の音声通話では、パケット交換方式での通信（データ通信）が行われる。選択部１８は、ＣＤＭＡ方式で送信される信号のレベルおよびＶｏＬＴＥ方式で送信される信号のレベルなどに基づいて、ＣＤＭＡ方式で音声通話をするか、またはＶｏＬＴＥ方式で音声通話をするかを選択する。
【００２４】
ここで、ＶｏＬＴＥ方式とは、ＬＴＥのネットワークを利用して、パケット交換方式であるＶｏＩＰ（Voice over Internet Protocol）で音声通話を行う方式である。ＶｏＬＴＥ方式の無線基地置局とは、ＬＴＥ方式の無線基地局のうち、パケット交換方式であるＶｏＩＰで音声通話を行うことが可能な基地局である。
【００２５】
識別部１６は、無線基地局との通信が、ＶｏＬＴＥ通信方式による音声通話であるのか、またはＣＤＭＡ方式による音声通話であるのかを識別する。
【００２６】
通知部８は、無線基地局との通信がＶｏＬＴＥ方式による音声通話の場合には、ユーザがアンテナ２に触れないようにするための通知を行う。
【００２７】
本明細書において、アンテナ２に触れるとは、ユーザの手が、アンテナ２に直接的に接触、間接的に接触、またはアンテナ２を覆うことを含む。
【００２８】
ユーザの手がアンテナ２に直接的に接触する場合とは、アンテナ２の一部または全部が携帯電話１の筐体の外部にある場合に、ユーザの指がアンテナ２の一部または全部に直接的に接触する場合である。
【００２９】
ユーザの手がアンテナ２に間接的に接触する場合とは、アンテナ２の一部または全部が携帯電話１の筐体の内部にある場合に、ユーザの指が筐体を介してアンテナ２の一部または全部に接触する場合である。
【００３０】
ユーザの手が、アンテナ２を覆う場合とは、ユーザの手がアンテナ２による信号の送受信の障害物となることをいう。
【００３１】
図２は、携帯電話１の外観を表わす正面図である。図３は、携帯電話１の外観を表わす背面図である。
【００３２】
携帯電話１は、本体部となる筐体３０を有する。筐体３０は、フロントケース３０ａと、リアケース３０ｂとを有する。
【００３３】
フロントケース３０ａは、ユーザに対向する側に配置される。フロントケース３０ａには、タッチパネル７と、液晶ディスプレイ９とが配置される。フロントケース３０ａには、さらに、マイク５、レシーバ１３、および近接センサ１０が配置される。
【００３４】
リアケース３０ｂには、ユーザの手のひら等に対向する側に配置される。リアケース３０ｂには、スピーカ１２が配置される。
【００３５】
図４は、第１の実施形態における音声通話の制御手順を表わすフローチャートである。
ステップＳ１０１において、通信制御部４によって音声通話の着信が検出された場合に、処理がステップＳ１０２に進む。
【００３６】
ステップＳ１０２において、識別部１６が、着信が検出された音声通話がデータ通信（つまり、ＶｏＬＴＥ通信）で実現されるか、またはデータ通信以外（つまり、ＣＤＭＡ通信）で実現されるかを検出する。音声通話がデータ通信で実現される場合に、処理がステップＳ１０３に進み、音声通話がデータ通信以外で実現される場合に、処理がステップＳ１０４に進む。
【００３７】
ステップＳ１０３において、通知部８は、図５（ａ）に示すようなアンテナ２の位置を示す画面を液晶ディスプレイ９に表示する。これは、ユーザが携帯電話１を保持しようとして、アンテナ２に触れる可能性があるからである。
【００３８】
ステップＳ１０４において、ハンズフリーオンで音声通話の要求に応答した場合に、処理がステップＳ１０５に進む。ハンズフリーオンで音声通話の要求に応答しない場合に、処理がステップＳ１１１に進む。
【００３９】
ステップＳ１０５において、通信制御部４が、音声通話を制御する。音声通話がデータ通信で実現される場合には、ＶｏＬＴＥ通信制御部１５が、音声通話を制御する。音声通話がデータ通信以外で実現される場合には、ＣＤＭＡ通信制御部１４が、音声通話を制御する。
【００４０】
ステップＳ１０６において、ユーザによる切替えボタン操作などによってハンズフリーオフへの切り替えが指示された場合に処理がステップＳ１０７に進む。ユーザによってハンズフリーオフへの切り替えが指示されなかった場合に処理がステップＳ１０９に進む。
【００４１】
ステップＳ１０７において、識別部１６が、実行中の音声通話がデータ通信（つまり、ＶｏＬＴＥ通信）で実現されるか否かを検出する。音声通話がデータ通信で実現される場合に、処理がステップＳ１０８に進む。音声通話がデータ通信以外で実現される場合には、処理がステップＳ１０９に進む。
【００４２】
ステップＳ１０８において、通知部８は、図５（ｂ）に示すようなアンテナ２の位置を示す画面を液晶ディスプレイ９に表示する。これは、ハンズフリーがオフとなった場合に、ユーザがアンテナ２に触れる可能性があるからである。その後、処理がステップＳ１１２に進む。
【００４３】
ステップＳ１０９において、通知部８は、液晶ディスプレイ９に表示されているアンテナ２の位置を示す画面を消去する。
【００４４】
ステップＳ１１０において、通話が終了した場合には処理が終了し、通話が終了しない場合には処理がステップＳ１０５に戻る。
【００４５】
ステップＳ１１１において、ハンズフリーオフで音声通話の要求に応答した場合に、処理がステップＳ１１２に進む。ハンズフリーオフで音声通話の要求に応答しない場合、つまり音声通話に応答しなかった場合には処理が終了する。
【００４６】
ステップＳ１１２において、通信制御部４が、音声通話を制御する。音声通話がデータ通信で実現される場合には、ＶｏＬＴＥ通信制御部１５が、音声通話を制御する。音声通話がデータ通信以外で実現される場合には、ＣＤＭＡ通信制御部１４が、音声通話を制御する。
【００４７】
ステップＳ１１３において、ユーザが耳から携帯電話１を遠ざけることによって、近接センサ１０がユーザの身体の近接を検出しなくなった場合には、処理がステップＳ１１４に進む。近接センサ１０がユーザの身体の接触を検出する場合に処理がステップＳ１１６に進む。
【００４８】
ステップＳ１１４において、識別部１６が、実行中の音声通話がデータ通信で実現されるか、またはデータ通信以外で実現されるかを検出する。音声通話がデータ通信で実現される場合に、処理がステップＳ１１５に進む。音声通話がデータ通信以外で実現される場合には、処理がステップＳ１１６に進む。
【００４９】
ステップＳ１１５において、通知部８は、図５（ｂ）に示すようなアンテナ２の位置を示す画面を液晶ディスプレイ９に表示する。これは、ユーザが携帯電話１を操作しようとして、アンテナ２に触れる可能性があるからである。
【００５０】
ステップＳ１１６において、通知部８は、液晶ディスプレイ９に表示されているアンテナ２の位置を示す画面を消去する。
【００５１】
ステップＳ１１７において、通話が終了した場合には処理が終了し、通話が終了しない場合には処理がステップＳ１１２に戻る。
【００５２】
以上のように、本実施の形態によれば、音声通話がデータ通信で実現される場合に、ユーザに対して使用しているアンテナの位置が分かるように表示することによって、ユーザがアンテナに触ることによって通話品質が劣化するのを回避することができる。
【００５３】
［第１の実施形態の変形例１］
本変形例は、音声通話において受信感度の低いＶｏＬＴＥ通信を利用する場合に、ユーザが、アンテナに触れないように警告することによって、通話品質の劣化を回避する。
【００５４】
図６は、第１の実施形態の変形例１における音声通話の制御手順を表わすフローチャートである。
【００５５】
図６のフローチャートが、図４のフローチャートと相違する点は以下である。
図６のフローチャートでは、図４のフローチャートのステップＳ１０３、Ｓ１０８、Ｓ１１５が、ステップＳ２０３、Ｓ２０８、Ｓ２１５に置き換えられている。
【００５６】
ステップＳ２０３、Ｓ２０８、Ｓ２１４において、通知部８は、それぞれ、図７（ａ）、図７（ｂ）、図７（ｂ）に示すようなアンテナに触れないように警告する画面を液晶ディスプレイ９に表示する。
【００５７】
以上のように、本変形例によれば、音声通話がデータ通信で実現される場合に、ユーザに対してアンテナに触れないよう警告することによって、ユーザがアンテナに触ることによって通話品質が劣化するのを回避することができる。
【００５８】
［第１の実施形態の変形例２］
図８は、第１の実施形態の変形例２における音声通話の制御手順を表わすフローチャートである。
【００５９】
ステップＳ６０１において、ユーザが音声通話の発呼を要求した場合に、処理がステップＳ６０２に進む。
【００６０】
ステップＳ６０２において、識別部１６が、通信制御部４によって音声通話がデータ通信（つまり、ＶｏＬＴＥ通信）で実現されるように設定されたか、またはデータ通信以外（つまり、ＣＤＭＡ通信）で実現されるように設定されたかを検出する。音声通話がデータ通信で実現されるように設定された場合に、処理がステップＳ６０３に進み、音声通話がデータ通信以外で実現されるように設定された場合に、処理がステップＳ６０４に進む。
【００６１】
ステップＳ６０３において、通知部８は、図９（ａ）に示すようなアンテナ２の位置を示す画面を液晶ディスプレイ９に表示する。これは、ユーザが携帯電話１を保持しようとして、アンテナ２に触れる可能性があるからである。
【００６２】
ステップＳ６０４において、相手側が音声通話の要求に応答した場合には、処理がステップＳ６０５に進む。相手側が音声通話の要求に応答しない場合には、処理が終了する。
【００６３】
ステップＳ６０５において、ユーザがハンズフリーオンで発呼の要求した場合に、処理がステップＳ６０６進む。ハンズフリーオンで発呼の要求をしない場合に、処理がステップＳ６１２に進む。
【００６４】
ステップＳ６０６において、通信制御部４が、音声通話を制御する。音声通話がデータ通信で実現される場合には、ＶｏＬＴＥ通信制御部１５が、音声通話を制御する。音声通話がデータ通信以外で実現される場合には、ＣＤＭＡ通信制御部１４が、音声通話を制御する。
【００６５】
ステップＳ６０７において、ユーザよる切替えボタン操作などによってハンズフリーオフへの切り替えが指示された場合に処理がステップＳ６０８に進む。ユーザによってハンズフリーオフへの切り替えが指示されなかった場合に処理がステップＳ６１０に進む。
【００６６】
ステップＳ６０８において、識別部１６が、実行中の音声通話がデータ通信（つまり、ＶｏＬＴＥ通信）で実現されるか否かを検出する。音声通話がデータ通信で実現される場合に、処理がステップＳ６０９に進む。音声通話がデータ通信以外で実現される場合には、処理がステップＳ６１０に進む。
【００６７】
ステップＳ６０９において、通知部８は、図９（ｂ）に示すようなアンテナ２の位置を示す画面を液晶ディスプレイ９に表示する。これは、ハンズフリーがオフとなった場合に、ユーザがアンテナ２に触れる可能性があるからである。その後、処理がステップＳ６１３に進む。
【００６８】
ステップＳ６１０において、通知部８は、液晶ディスプレイ９に表示されているアンテナ２の位置を示す画面を消去する。
【００６９】
ステップＳ６１１において、通話が終了した場合には処理が終了し、通話が終了しない場合には処理がステップＳ６０６に戻る。
【００７０】
ステップＳ６１２において、ハンズフリーオフで発呼の要求をした場合に、処理がステップＳ６１３に進む。ハンズフリーオフで発呼の要求をしない場合には処理が終了する。
【００７１】
ステップＳ６１３において、通信制御部４が、音声通話を制御する。音声通話がデータ通信で実現される場合には、ＶｏＬＴＥ通信制御部１５が、音声通話を制御する。音声通話がデータ通信以外で実現される場合には、ＣＤＭＡ通信制御部１４が、音声通話を制御する。
【００７２】
ステップＳ６１４において、ユーザが耳から携帯電話１を遠ざけることによって、近接センサ１０がユーザの身体の近接を検出しなくなった場合には、処理がステップＳ６１５に進む。近接センサ１０がユーザの身体の接触を検出する場合に処理がステップＳ６１７に進む。
【００７３】
ステップＳ６１５において、識別部１６が、実行中の音声通話がデータ通信で実現されるか、またはデータ通信以外で実現されるかを検出する。音声通話がデータ通信で実現される場合に、処理がステップＳ６１６に進む。音声通話がデータ通信以外で実現される場合には、処理がステップＳ６１７に進む。
【００７４】
ステップＳ６１６において、通知部８は、図９（ｂ）に示すようなアンテナ２の位置を示す画面を液晶ディスプレイ９に表示する。これは、ユーザが携帯電話１を操作しようとして、アンテナ２に触れる可能性があるからである。
【００７５】
ステップＳ６１７において、通知部８は、液晶ディスプレイ９に表示されているアンテナ２の位置を示す画面を消去する。
【００７６】
ステップＳ６１８において、通話が終了した場合には処理が終了し、通話が終了しない場合には処理がステップＳ６１３に戻る。
【００７７】
以上のように、本変形例によれば、音声通話を要求（発呼）したときにおいても、第１の実施形態の音声通話の要求を受けたときと同様に、音声通話がデータ通信で実現される場合に、ユーザに対して使用しているアンテナの位置が分かるように表示することによって、ユーザがアンテナに触ることによって通話品質が劣化するのを回避することができる。
【００７８】
なお、第１の実施形態を上記変形例２に変形したのと同様にして、音声通話の要求を受けたときの動作を記載した第１の実施形態の変形例１の方式を、音声通話を要求（発呼）したときの動作に変形することもできる。
【００７９】
［第２の実施形態］
本実施の形態は、音声通話において受信感度の低いＶｏＬＴＥ通信を利用する場合に、受信信号の電界強度が低下したときには、ユーザがアンテナに触れているか、または携帯電話の位置または方位が不適切なので、ユーザに対して警告する。
【００８０】
図１０は、第２の実施形態の携帯電話５１の構成を表わす図である。
図１０の携帯電話５１が、図１の携帯電話１と相違する点は、以下である。
【００８１】
図１０の携帯電話５１は、電界強度検出部５２と、タッチセンサ５３とを備える。また、図１０の携帯電話５１に含まれる通知部５８が、図１の携帯電話１に含まれる通知部８と相違する。
【００８２】
電界強度検出部５２は、受信した信号の電界強度を検出する。
タッチセンサ５３は、ユーザの指の接触を検出する。タッチセンサ５３は、たとえば静電容量の変化を検出することによって、ユーザの指の接触を検出する。
【００８３】
通知部５８は、無線基地局との通信がＶｏＬＴＥ方式による音声通信であり、かつ検出された受信信号の電界強度が閾値以下のときには、受信信号の電界強度が低い旨を通知する。
【００８４】
図１１（ａ）〜（ｃ）は、携帯電話５１の筐体３０に内蔵される一部の部材の分解斜視図である。
【００８５】
フロントケース３０ａとリアケース３０ｂとは、互いの凹状の内側面が向き合うように配置され、互いの外周縁が重なり合うようにして結合される。
【００８６】
フロントケース３０ａとリアケース３０ｂと間の中間の収納部３０ｃには、回路基板７０と、アンテナ２とが配置される。
【００８７】
リアケース３０ｂには、タッチセンサ５３が設けられる。タッチセンサ５３は、水平方向においてアンテナ２の近辺に配置される。すなわち、フロントケース３０ａ、リアケース３０ｂ、および収納部３０ｃを重ね合わせることによって、携帯電話５１が組み立てられたときには、図１２に示すように、タッチセンサ５３の水平方向に近接する位置の直下にアンテナ２が配置される。
【００８８】
図１３は、第２の実施形態における音声通話の制御手順を表わすフローチャートである。
【００８９】
ステップＳ３０１において、通信制御部４によって音声通話の着信が検出された場合に、処理がステップＳ３０２に進む。
【００９０】
ステップＳ３０２において、識別部１６が、着信が検出された音声通話がデータ通信（つまり、ＶｏＬＴＥ通信）で実現されるか、またはデータ通信以外（つまり、ＣＤＭＡ通信）で実現されるかを検出する。音声通話がデータ通信で実現される場合に、処理がステップＳ３０３に進み、音声通話がデータ通信以外で実現される場合に、処理がステップＳ３０５に進む。
【００９１】
ステップＳ３０３において、電界強度検出部５２で検出された受信信号の電界強度が閾値ＴＨ以下の場合に、処理がステップＳ３０４に進み、受信信号の電界強度が閾値ＴＨを超える場合に、処理がステップＳ３０５に進む。
【００９２】
ステップＳ３０４において、通知部８は、図１４（ａ）に示すような電界強度が低いことを警告する画面、すなわち、電界強度が低いこと、および携帯電話５１の握る位置を変えるか、携帯電話１の位置または方位を変えるように促す警告する画面を液晶ディスプレイ９に表示する。これは、ユーザが携帯電話５１を保持しようとして、アンテナ２に触れる可能性があるからである。
【００９３】
ステップＳ３０５において、音声通話の要求に応答した場合に、処理がステップＳ３０６に進む。
【００９４】
ステップＳ３０６において、通信制御部４が、音声通話を制御する。音声通話が、データ通信で実現される場合には、ＶｏＬＴＥ通信制御部１５が、音声通話を制御する。音声通話が、データ通信以外で実現される場合には、ＣＤＭＡ通信制御部１４が、音声通話を制御する。
【００９５】
ステップＳ３０７において、識別部１６が、実行中の音声通話がデータ通信で実現されるか、またはデータ通信以外で実現されるかを検出する。音声通話がデータ通信で実現される場合に、処理がステップＳ３０８に進む。音声通話がデータ通信以外で実現される場合に、処理がステップＳ３１０に進む。
【００９６】
ステップＳ３０８において、電界強度検出部５２で検出された受信信号の電界強度が閾値ＴＨ以下の場合に、処理がステップＳ３０９に進み、電界強度が閾値ＴＨを超える場合に、処理がステップＳ３１０に進む。
【００９７】
ステップＳ３０９において、通知部８は、図１４（ｂ）に示すような電界強度が低いことを警告する画面を液晶ディスプレイ９に表示する。これは、ユーザがアンテナ２に触れているか、あるいは携帯電話５１の位置または方向が適切でないからである。
【００９８】
ステップＳ３１０において、通知部８は、液晶ディスプレイ９に表示されている、電界強度が低いことを警告する画面を消去する。
【００９９】
ステップＳ３１１において、通話が終了した場合には処理が終了し、通話が終了しない場合には処理がステップＳ３０６に戻る。
【０１００】
以上のように、本実施の形態によれば、音声通話がデータ通信で実現される場合に、受信信号の電界強度が低下したときには、ユーザに対して警告画面を表示する。これによって、ユーザが携帯電話の握る位置を変えるか、またはユーザが携帯電話の位置または方位を変更することが促されるので、通話品質の改善を図ることができる。
【０１０１】
［第２の実施形態の変形例１］
本変形例は、ユーザがアンテナ近辺に設けられたタッチセンサに触れたことを検出した場合に、ユーザがアンテナに触れている可能性が高いので、ユーザに対して警告する。
【０１０２】
図１５は、第２の実施形態の変形例１における音声通話の制御手順を表わすフローチャートである。
【０１０３】
ステップＳ４０１において、通信制御部４によって音声通話の着信が検出された場合に、処理がステップＳ４０２に進む。
【０１０４】
ステップＳ４０２において、識別部１６が、着信が検出された音声通話がデータ通信（つまり、ＶｏＬＴＥ通信）で実現されるか、またはデータ通信以外（つまり、ＣＤＭＡ通信）で実現されるかを検出する。音声通話がデータ通信で実現される場合に、処理がステップＳ４０３に進み、音声通話がデータ通信以外で実現される場合に、処理がステップＳ４０５に進む。
【０１０５】
ステップＳ４０３において、アンテナ２の近辺に設けられたタッチセンサ５３がユーザの手の接触を検出した場合に、処理がステップＳ４０４に進み、タッチセンサ５３がユーザの手の接触を検出しない場合に、処理がステップＳ４０５に進む。
【０１０６】
ステップＳ４０４において、通知部８は、図１６（ａ）に示すようなアンテナ２に触れないように警告する画面を液晶ディスプレイ９に表示する。これは、ユーザがアンテナ２に触れているからである。
【０１０７】
ステップＳ４０５において、音声通話の要求に応答した場合に、処理がステップＳ４０６に進む。
【０１０８】
ステップＳ４０６において、通信制御部４が、音声通話を制御する。音声通話がデータ通信で実現される場合には、ＶｏＬＴＥ通信制御部１５が、音声通話を制御する。音声通話がデータ通信以外で実現される場合には、ＣＤＭＡ通信制御部１４が、音声通話を制御する。
【０１０９】
ステップＳ４０７において、識別部１６が、実行中の音声通話がデータ通信で実現されるか、またはデータ通信以外で実現されるかを検出する。音声通話がデータ通信で実現される場合に、処理がステップＳ４０８に進む。音声通話がデータ通信以外で実現される場合に、処理がステップＳ４１０に進む。
【０１１０】
ステップＳ４０８において、アンテナ２の近辺に設けられたタッチセンサ５３がユーザの手の接触を検出した場合に、処理がステップＳ４０９に進み、タッチセンサ５３がユーザの手の接触を検出しない場合に、処理がステップＳ４１０に進む。
【０１１１】
ステップＳ４０９において、通知部８は、図１６（ｂ）に示すようなアンテナ２に触れないように警告する画面を液晶ディスプレイ９に表示する。これは、ユーザがアンテナ２に触れているからである。
【０１１２】
ステップＳ４１０において、通知部８は、液晶ディスプレイ９に表示されている、アンテナ２に触れないように警告する画面を消去する。
【０１１３】
ステップＳ４１１において、通話が終了した場合には処理が終了し、通話が終了しない場合には処理がステップＳ４０６に戻る。
【０１１４】
以上のように、本変形例によれば、音声通話がデータ通信で実現される場合に、アンテナの近辺のタッチセンサがユーザの手の接触を検出したときには、ユーザに対して警告画面を表示する。これによって、ユーザが携帯電話の握る位置を変えることが促されるので、通話品質の改善を図ることができる。
［第２の実施形態の変形例２］
本変形例は、ユーザがアンテナ近辺に設けられたタッチセンサに触れたことを検出した場合に、ユーザがアンテナに触れている可能性が高いので、ユーザに対して警告する。また、タッチセンサに触れたことが検出されず、かつ受信信号の電界強度が低下したときには、携帯電話の位置または方位が不適切なので、ユーザに対して警告する。
【０１１５】
図１７は、第２の実施形態の変形例２における音声通話の制御手順を表わすフローチャートである。
【０１１６】
ステップＳ５０１において、通信制御部４によって音声通話の着信が検出された場合に、処理がステップＳ５０２に進む。
【０１１７】
ステップＳ５０２において、識別部１６が、着信が検出された音声通話がデータ通信（つまり、ＶｏＬＴＥ通信）で実現されるか、またはデータ通信以外（つまり、ＣＤＭＡ通信）で実現されるかを検出する。音声通話がデータ通信で実現される場合に、処理がステップＳ５０３に進み、音声通話がデータ通信以外で実現される場合に、処理がステップＳ５０７に進む。
【０１１８】
ステップＳ５０３において、アンテナ２の近辺に設けられたタッチセンサ５３がユーザの手の接触を検出した場合に、処理がステップＳ５０４に進み、タッチセンサ５３がユーザの手の接触を検出しない場合に、処理がステップＳ５０５に進む。
【０１１９】
ステップＳ５０４において、通知部８は、図１６（ａ）に示すようなアンテナ２に触れないように警告する画面を液晶ディスプレイ９に表示する。これは、ユーザがアンテナ２に触れているからである。
【０１２０】
ステップＳ５０５において、電界強度検出部５２で検出された受信信号の電界強度が閾値ＴＨ以下の場合に、処理がステップＳ５０６に進み、電界強度が閾値ＴＨを超える場合に、処理がステップＳ５０７に進む。
【０１２１】
ステップＳ５０６において、通知部８は、図１８（ａ）に示すような携帯電話５１の位置または方位を変更するように警告する画面を液晶ディスプレイ９に表示する。これは、携帯電話５１の位置または方向が適切でないからである。
【０１２２】
ステップＳ５０７において、音声通話の要求に応答した場合に、処理がステップＳ５０８に進む。
【０１２３】
ステップＳ５０８において、通信制御部４が、音声通話を制御する。音声通話がデータ通信で実現される場合には、ＶｏＬＴＥ通信制御部１５が、音声通話を制御する。音声通話がデータ通信以外で実現される場合には、ＣＤＭＡ通信制御部１４が、音声通話を制御する。
【０１２４】
ステップＳ５０９において、識別部１６が、実行中の音声通話がデータ通信で実現されるか、またはデータ通信以外で実現されるかを検出する。音声通話がデータ通信で実現される場合に、処理がステップＳ５１０に進む。音声通話がデータ通信以外で実現される場合に、処理がステップＳ５１４に進む。
【０１２５】
ステップＳ５１０において、アンテナ２の近辺に設けられたタッチセンサ５３がユーザの手の接触を検出した場合に、処理がステップＳ５１１に進み、タッチセンサ５３がユーザの手の接触を検出しない場合に、処理がステップＳ５１２に進む。
【０１２６】
ステップＳ５１１において、通知部８は、図１６（ｂ）に示すようなアンテナ２に触れないように警告する画面を液晶ディスプレイ９に表示する。これは、ユーザがアンテナ２に触れているからである。
【０１２７】
ステップＳ５１２において、電界強度検出部５２で検出された受信信号の電界強度が閾値ＴＨ以下の場合に、処理がステップＳ５１３に進み、電界強度が閾値ＴＨを超える場合に、処理がステップＳ５１４に進む。
【０１２８】
ステップＳ５１３において、通知部８は、図１８（ｂ）に示すような携帯電話５１の位置または方位を変更するように警告する画面を液晶ディスプレイ９に表示する。れは、携帯電話５１の位置または方向が適切でないからである。
【０１２９】
ステップＳ５１４において、通知部８は、液晶ディスプレイ９に表示されている、アンテナ２に触れないように警告する画面、または携帯電話５１の位置または方位を変更するように警告する画面を消去する。
【０１３０】
ステップＳ５１５において、通話が終了した場合には処理が終了し、通話が終了しない場合には処理がステップＳ５０８に戻る。
【０１３１】
以上のように、本変形例によれば、音声通話がデータ通信で実現される場合に、アンテナの近辺のタッチセンサがユーザの手の接触を検出したときには、ユーザに対して警告画面を表示する。これによって、ユーザが携帯電話の握る位置を変えることが促されるので、通話品質の改善を図ることができる。さらに、アンテナの近辺のタッチセンサがユーザの手の接触を検出せず、かつ受信信号の電界強度が低下したときには、ユーザに対して警告画面を表示する。これによって、ユーザが携帯電話の位置または変更を変えることが促されるので、通話品質の改善を図ることができる。
【０１３２】
［第２の実施形態の変形例３］
第１の実施形態を上記変形例２に変形したのと同様にして、音声通話の要求を受けたときの動作を記載した第２の実施形態、変形例１、および変形例２の方式を、音声通話を要求（発呼）したときの動作に変形することもできる。
【０１３３】
（変形例）
本発明は、上記の実施形態に限定されるものではなく、たとえば以下のような変形例も含む。
【０１３４】
（１）警告の通知
上記の実施形態では、音声通話がデータ通信によって実現される場合にのみ、アンテナ位置の表示、アンテナに触れないように指示、携帯電話の位置または方位の変更指示などの警告を行ったが、これに限定するものではない。音声通話がデータ通信以外（ＣＤＭＡ通信）で実現される場合にでも、上記警告を行うものとしてもよい。
【０１３５】
（２）回線交換方式、データ通信方式
上記の実施形態では、回線交換方式の通信方式としてＣＤＭＡ通信を例にして説明したが、これに限定されるものではなく、他の回線交換方式の通信方式を用いてもよい。また、データ通信方式での音声通話についてもＶｏＬＴＥ方式に限定されるものではない。
【０１３６】
（３）警告の表示
本発明の実施の形態では、着信中、発呼中、または音声通話中の画面中に警告表示を含ませたが、これに限定するものではない。、着信中、発呼中、または音声通話中の画面の上に警告をポップアップ表示するものとしてもよい。
【０１３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３８】
１，５１  携帯電話、２  アンテナ、３  無線通信部、４  通信制御部、５  マイク、６  アプリケーション実行部、７  タッチパネル、８，５８  通知部、９  液晶ディスプレイ、１０  近接センサ、１１  ハンズフリー制御部、１２  スピーカ、１３  レシーバ、１４  ＣＤＭＡ通信制御部、１５  ＶｏＬＴＥ通信制御部、１６  識別部、１８  選択部、５２  電解強度検出部、５３  タッチセンサ。
【図１】
0006364318.tif 000002
【図２】
0006364318.tif 000003
【図３】
0006364318.tif 000004
【図４】
0006364318.tif 000005
【図５】
0006364318.tif 000006
【図６】
0006364318.tif 000007
【図７】
0006364318.tif 000008
【図８】
0006364318.tif 000009
【図９】
0006364318.tif 000010
【図１０】
0006364318.tif 000011
【図１１】
0006364318.tif 000012
【図１２】
0006364318.tif 000013
【図１３】
0006364318.tif 000014
【図１４】
0006364318.tif 000015
【図１５】
0006364318.tif 000016
【図１６】
0006364318.tif 000017
【図１７】
0006364318.tif 000018
【図１８】
0006364318.tif 000019